(57)【特許請求の範囲】
【請求項１】
動的アドレスが動的に割り当てられる機器と、前記機器に割り当てられた動的アドレスを用いて、所定ネットワークを介して前記機器と通信を行う制御装置とを有する管理システムであって、
前記機器は、前記機器の電源が投入された場合に、前記所定ネットワークを介して、前記機器に割り当てられた動的アドレスを送信元アドレスとして用いて、前記機器の種別を含む種別メッセージを所定期間に亘って繰り返して送信する送信部を備え、
前記制御装置は、前記種別メッセージを受信する受信部を備えることを特徴とする管理システム。
【請求項２】
前記制御装置は、前記種別メッセージの受信に応じて、前記機器を識別する識別情報を要求する識別情報要求メッセージを前記機器に送信することを特徴とする請求項１に記載の管理システム。
【請求項３】
前記機器が前記所定期間内に前記識別情報要求メッセージを受信した場合には、前記送信部は、前記種別メッセージの繰り返し送信を中止することを特徴とする請求項２に記載の管理システム。
【請求項４】
前記機器が前記所定期間内に前記識別情報要求メッセージを受信しなかった場合には、前記送信部は、前記所定期間経過後も、前記種別メッセージの繰り返し送信を行うことを特徴とする請求項２に記載の管理システム。
【請求項５】
前記機器は、需要家に設けられる負荷或いは分散電源であり、
前記制御装置は、前記需要家に設けられ、前記負荷或いは前記分散電源の動作を制御することによって、前記需要家内のエネルギー状態を管理することを特徴とする請求項１に記載の管理システム。
【請求項６】
前記所定期間は、停電によって前記制御装置の電源が切れてから前記制御装置の電源が再投入されるまでの時間に応じて定められることを特徴とする請求項１に記載の管理システム。
【請求項７】
前記制御装置の電源は、系統から供給される電力によって再投入されることを特徴とする請求項５に記載の管理システム。
【請求項８】
前記機器は、分散電源であり、
前記制御装置の電源は、前記分散電源から供給される電力によって再投入されることを特徴とする請求項５に記載の管理システム。
【請求項９】
前記所定ネットワークとは別に、前記機器と前記制御装置とを接続する有線のインタフェースが設けられることを特徴とする請求項１に記載の管理システム。
【請求項１０】
前記送信部は、前記機器のステータスを示す情報を、前記有線のインタフェースを介して送信することを特徴とする請求項９に記載の管理システム。
【請求項１１】
前記送信部は、前記機器に対する情報を、前記所定ネットワークおよび前記有線のインタフェースの両方を介して送信することを特徴とする請求項９又は請求項１０に記載の管理システム。
【請求項１２】
前記送信部は、前記所定ネットワークを介して送信する情報の送信間隔よりも短い送信間隔で、前記有線のインタフェースを介して送信する情報を送信することを特徴とする請求項９又は請求項１０に記載の管理システム。
【請求項１３】
前記所定ネットワークは、ＥＣＨＯＮＥＴ  Ｌｉｔｅ（登録商標）方式の通信プロトコルに準拠するネットワークであることを特徴とする請求項１に記載の管理システム。
【請求項１４】
動的アドレスが動的に割り当てられる機器と、前記機器に割り当てられた動的アドレスを用いて、所定ネットワークを介して前記機器と通信を行う制御装置とを有する管理システムで用いる管理方法であって、
前記機器の電源が投入された場合に、前記所定ネットワークを介して、前記機器から前記制御装置に対して、前記機器に割り当てられた動的アドレスを送信元アドレスとして用いて、前記機器の種別を含む種別メッセージを所定期間に亘って繰り返して送信するステップを備えることを特徴とする管理方法。
【請求項１５】
動的アドレスが動的に割り当てられており、前記動的アドレスを用いて、所定ネットワークを介して制御装置と通信を行う機器であって、
前記機器の電源が投入された場合に、前記所定ネットワークを介して、前記機器に割り当てられた動的アドレスを送信元アドレスとして用いて、前記機器の種別を含む種別メッセージを所定期間に亘って繰り返して送信する送信部を備えることを特徴とする機器。
【発明の詳細な説明】
【技術分野】
【０００１】  本発明は、動的アドレスが動的に割り当てられる機器と、機器に割り当てられた動的アドレスを用いて、所定ネットワークを介して機器と通信を行う制御装置とを有する管理システム、管理方法及び機器に関する。
【背景技術】
【０００２】  近年、複数の機器と、複数の機器を制御する制御装置とを有する電力管理システムが提案されている（例えば、特許文献１）。複数の機器は、例えば、エアーコンディショナー、照明などの家電機器、及び、太陽電池装置、蓄電池装置、燃料電池装置などの分散電源である。制御装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。【０００３】  上述した管理システムの普及には、複数の機器と制御装置との間のメッセージフォーマットを共通化することが効果的であり、このようなメッセージフォーマットの共通化が試みられている。
【先行技術文献】
【特許文献】
【０００４】
【特許文献１】特開２０１０−１２８８１０号公報
【発明の概要】
【０００５】  ところで、上述した管理システムでは、各機器の種別を制御装置が把握するために、各機器から制御装置に対して、機器の種別を含む種別メッセージが送信される。例えば、機器は、機器の電源が投入された場合に、種別メッセージを制御装置に送信する。
【０００６】  しかしながら、停電が生じたケースにおいて、機器の電源が再投入されるタイミングと制御装置の電源が再投入されるタイミングとが異なることが考えられる。例えば、燃料電池又は蓄電池などの分散電源は、停電が生じた場合には、自身の電力を用いて自身の電源を再投入する。従って、分散電源の電源が再投入されるタイミングが制御装置の電源が再投入されるタイミングよりも早いケースが考えられる。このようなケースでは、制御装置の電源が再投入される前に種別メッセージが送信されてしまい、種別メッセージが制御装置に到達しない可能性が存在する。
【０００７】  そこで、本発明は、上述した課題を解決するためになされたものであり、制御装置に対する種別メッセージの到達性を高めることを可能とする管理システム、管理方法及び機器を提供することを目的とする。
【０００８】  第１の特徴に係る管理システムは、動的アドレスが動的に割り当てられる機器と、前記機器に割り当てられた動的アドレスを用いて、所定ネットワークを介して前記機器と通信を行う制御装置とを有する。前記機器は、前記機器の電源が投入された場合に、前記機器の種別を含む種別メッセージを所定期間に亘って繰り返して送信する送信部を備える。
【０００９】  第１の特徴において、前記制御装置は、前記種別メッセージの受信に応じて、前記機器を識別する識別情報を要求する識別情報要求メッセージを前記機器に送信し、前記機器が前記所定期間内に前記識別情報要求メッセージを受信した場合には、前記送信部は、前記種別メッセージの繰り返し送信を中止する。
【００１０】  第１の特徴において、前記制御装置は、前記種別メッセージの受信に応じて、前記機器を識別する識別情報を要求する識別情報要求メッセージを前記機器に送信し、前記機器が前記所定期間内に前記識別情報要求メッセージを受信しなかった場合には、前記送信部は、前記所定期間経過後も、前記種別メッセージの繰り返し送信を行う。
【００１１】  第１の特徴において、前記機器は、需要家に設けられる負荷或いは分散電源である。前記制御装置は、前記需要家に設けられ、前記負荷或いは前記分散電源の動作を制御することによって、前記需要家内のエネルギー状態を管理する。
【００１２】  第１の特徴において、前記所定期間は、停電によって前記制御装置の電源が切れてから前記制御装置の電源が再投入されるまでの時間に応じて定められる。
【００１３】  第１の特徴において、前記制御装置の電源は、系統から供給される電力によって再投入される。
【００１４】  第１の特徴において、前記機器は、分散電源である。前記制御装置の電源は、前記分散電源から供給される電力によって再投入される。
【００１５】  第１の特徴において、前記所定ネットワークとは別に、前記機器と前記制御装置とを接続するインタフェースが設けられる。
【００１６】  第１の特徴において、前記送信部は、前記機器のステータスを示す情報を、前記インタフェースを介して送信する。
【００１７】  第１の特徴において、前記所定ネットワークは、ＥＣＨＯＮＥＴ  Ｌｉｔｅ（登録商標）方式の通信プロトコルに準拠するネットワークである。
【００１８】  第２の特徴に係る管理方法は、動的アドレスが動的に割り当てられる機器と、前記機器に割り当てられた動的アドレスを用いて、所定ネットワークを介して前記機器と通信を行う制御装置とを有する管理システムで用いる。管理方法は、前記機器の電源が投入された場合に、前記機器から前記制御装置に対して、前記機器の種別を含む種別メッセージを所定期間に亘って繰り返して送信するステップを備える。
【００１９】  第３の特徴に係る機器は、動的アドレスが動的に割り当てられており、前記動的アドレスを用いて、所定ネットワークを介して制御装置と通信を行う。機器は、前記機器の電源が投入された場合に、前記機器の種別を含む種別メッセージを所定期間に亘って繰り返して送信する送信部を備える。
【００２０】  本発明によれば、制御装置に対する種別メッセージの到達性を高めることを可能とする管理システム、管理方法及び機器を提供することを目的とする。
【図面の簡単な説明】
【００２１】
【図１】図１は、第１実施形態に係るエネルギー管理システム１００を示す図である。
【図２】図２は、第１実施形態に係る需要家１０を示す図である。
【図３】図３は、第１実施形態に係るネットワーク構成を示す図である。
【図４】図４は、第１実施形態に係る適用ケースを示す図である。
【図５】図５は、第１実施形態に係るＥＭＳ２００を示す図である。
【図６】図６は、第１実施形態に係る蓄電池装置１４０を示す図である。
【図７】図７は、第１実施形態に係る管理方法を示すシーケンス図である。
【発明を実施するための形態】
【００２２】  以下において、本発明の実施形態に係る管理システムについて、図面を参照しながら説明する。なお、以下の図面の記載において、同一又は類似の部分には、同一又は類似の符号を付している。
【００２３】  ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２４】  ［実施形態の概要］  実施形態に係る管理システムは、動的アドレスが動的に割り当てられる機器と、前記機器に割り当てられた動的アドレスを用いて、所定ネットワークを介して前記機器と通信を行う制御装置とを有する。前記機器は、前記機器の電源が投入された場合に、前記機器の種別を含む種別メッセージを所定期間に亘って繰り返して送信する送信部を備える。
【００２５】  実施形態では、機器は、機器の電源が投入された場合に、種別メッセージを所定期間に亘って繰り返して送信する。従って、制御装置に対する種別メッセージの到達性を高めることができる。
【００２６】  ここで、所定ネットワークは、所定プロトコルに準拠するネットワークである。所定プロトコルとしては、例えば、“ＥＣＨＯＮＥＴ  Ｌｉｔｅ”（登録商標）又は“ＥＣＨＯＮＥＴ”（登録商標）と呼ばれるプロトコルが挙げられる。しかしながら、実施形態は、これに限定されるものではなく、所定プロトコルは、“ＥＣＨＯＮＥＴ  Ｌｉｔｅ”（登録商標）又は“ＥＣＨＯＮＥＴ”（登録商標）以外のプロトコル（例えば、ＳＥＰ２．０又はＫＮＸ等）であってもよい。但し、所定ネットワークでは、動的アドレスを用いて通信が行われることに留意すべきである。
【００２７】  ［第１実施形態］  （エネルギー管理システム）  以下において、第１実施形態に係るエネルギー管理システムについて説明する。図１は、第１実施形態に係るエネルギー管理システム１００を示す図である。
【００２８】  図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２９】  需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００３０】  需要家１０は、一戸建ての住宅であってもよく、マンションなどの集合住宅であってもよい。或いは、需要家１０は、コンビニエンスストア又はスーパーマーケットなどの店舗であってもよく、ビルなどの商用施設であってもよく、工場であってもよい。
【００３１】  第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００３２】  ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００３３】  第１実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００３４】  変電所３０は、複数の需要家１０に対して、配電線３１を介して電力を供給する。具体的には、変電所３０は、発電所５０から供給を受ける電圧を降圧する。
【００３５】  第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３６】  スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３７】  発電所５０は、火力、太陽光、風力、水力、又は原子力などによって発電を行う。発電所５０は、複数の変電所３０（ここでは、変電所３０Ａ及び変電所３０Ｂ）に対して、送電線５１を介して電力を供給する。
【００３８】  ネットワーク６０は、信号線を介して各装置に接続される。ネットワーク６０は、例えば、インターネット、広域回線網、狭域回線網、又は携帯電話網などである。
【００３９】  （需要家）  以下において、第１実施形態に係る需要家について説明する。図２は、第１実施形態に係る需要家１０の詳細を示す図である。
【００４０】  図２に示すように、需要家１０は、分電盤１１０と、負荷１２０と、ＰＶ装置１３０と、蓄電池装置１４０と、燃料電池装置１５０と、貯湯装置１６０と、ＥＭＳ２００とを有する。
【００４１】  第１実施形態において、需要家１０は、電流計１８０、電流計１８１及び電流計１８２を有する。
【００４２】  電流計１８０は、燃料電池装置１５０の負荷追従制御に用いられる。電流計１８０は、各機器（例えば、蓄電池装置１４０及び燃料電池装置１５０）と系統とを接続する電力線上において、蓄電池装置１４０と電力線との接続点よりも下流（系統から離れた側）、かつ、燃料電池装置１５０と電力線との接続点よりも上流（系統に近い側）に設けられる。電流計１８０が負荷１２０と電力線との接続点よりも上流（系統に近い側）に設けられることは勿論である。
【００４３】  電流計１８１は、蓄電池装置１４０から系統への電力の流れ（逆潮流）の有無の確認に用いられる。電流計１８１は、各機器（例えば、蓄電池装置１４０）と系統とを接続する電力線上において、蓄電池装置１４０と電力線との接続点よりも上流（系統に近い側）に設けられる。
【００４４】  電流計１８２は、ＰＶ装置１３０によって発電された電力の計測に用いられる。電流計１８２は、各機器（例えば、ＰＶ装置１３０）と系統とを接続する電力線とＰＶ装置１３０との接続点よりもＰＶ装置１３０側に設けられる。
【００４５】  第１実施形態において、各機器は、系統に近い順から見て、ＰＶ装置１３０、蓄電池装置１４０、燃料電池装置１５０及び負荷１２０の順で電力線に接続されていることに留意すべきである。
【００４６】  分電盤１１０は、配電線３１（系統）に接続されている。分電盤１１０は、電力線を介して、負荷１２０、ＰＶ装置１３０、蓄電池装置１４０及び燃料電池装置１５０に接続されている。
【００４７】  負荷１２０は、電力線を介して供給を受ける電力を消費する装置である。例えば、負荷１２０は、冷蔵庫、冷凍庫、照明、及びエアーコンディショナーなどの装置を含む。
【００４８】  ＰＶ装置１３０は、ＰＶ１３１と、ＰＣＳ１３２とを有する。ＰＶ１３１は、発電装置の一例であり、太陽光の受光に応じて発電を行う太陽光発電装置（Ｐｈｏｔｏｖｏｌｔａｉｃ  Ｄｅｖｉｃｅ）である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００４９】  第１実施形態において、ＰＶ装置１３０は、ＰＶ１３１に照射される日射量を測定する日射計を有していてもよい。
【００５０】  ＰＶ装置１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶ装置１３０は、ＰＶ１３１の動作点（動作点電圧値及び電力値によって定まる点、又は、動作点電圧値と電流値とによって定まる点）を最適化する。
【００５１】  蓄電池装置１４０は、蓄電池１４１と、ＰＣＳ１４２とを有する。蓄電池１４１は、電力を蓄積する装置である。ＰＣＳ１４２は、配電線３１（系統）から供給を受けるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００５２】  燃料電池装置１５０は、燃料電池１５１と、ＰＣＳ１５２とを有する。燃料電池１５１は、発電装置の一例であり、燃料（ガス）を用いて電力を発電する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００５３】  燃料電池装置１５０は、負荷追従制御によって動作する。詳細には、燃料電池装置１５０は、燃料電池１５１から出力する電力が負荷追従制御の目標電力となるように燃料電池１５１を制御する。言い換えると、燃料電池装置１５０は、電流計１８０によって検出される電流値とＰＣＳ１５２によって検出される電圧値との積が目標受電力となるように、燃料電池１５１から出力する電力を制御する。
【００５４】  貯湯装置１６０は、燃料（ガス）を用いて湯を生成或いは水温を維持する装置である。具体的には、貯湯装置１６０は、貯湯槽を有しており、燃料（ガス）の燃焼によって生じる熱又は燃料電池１５１の運転（発電）によって生じる排熱によって、貯湯槽から供給される水を温める。詳細には、貯湯装置１６０は、貯湯槽から供給される水を温めて、温められた湯を貯湯槽に還流する。
【００５５】  実施形態において、燃料電池装置１５０及び貯湯装置１６０は、給湯ユニット１７０（給湯システム）を構成することに留意すべきである。
【００５６】  ＥＭＳ２００は、需要家１０に設けられ、負荷１２０或いは分散電源（ＰＶ装置１３０、蓄電池装置１４０又は燃料電池装置１５０）の動作を制御することによって、需要家１０内のエネルギー状態を管理する。具体的には、ＥＭＳ２００は、ＰＶ装置１３０、蓄電池装置１４０、燃料電池装置１５０及び貯湯装置１６０を制御する装置（Ｅｎｅｒｇｙ  Ｍａｎａｇｅｍｅｎｔ  Ｓｙｓｔｅｍ）である。具体的には、ＥＭＳ２００は、ＰＶ装置１３０、蓄電池装置１４０、燃料電池装置１５０及び貯湯装置１６０に信号線を介して接続されており、ＰＶ装置１３０、蓄電池装置１４０、燃料電池装置１５０及び貯湯装置１６０を制御する。また、ＥＭＳ２００は、負荷１２０の動作モードを制御することによって、負荷１２０の消費電力を制御する。例えば、ＥＭＳ２００は、家電製品を省電力モードで動作させてもよい。或いは、ＥＭＳ２００は、負荷１２０の消費電力を変化させることなく、快適性を変化させるように負荷１２０の動作を制御する。例えば、ＥＭＳ２００は、エアコンの風向制御、又はＬＥＤ照明の調光制御等を行ってもよい。
【００５７】  また、ＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００５８】  或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力のモデルであってもよい。
【００５９】  或いは、各種サーバは、例えば、ＰＶ１３１の発電量を予測するための情報（以下、ＰＶ発電量予測情報）を格納する。ＰＶ発電予測情報は、ＰＶ１３１に照射される日射量の予測値であってもよい。或いは、ＰＶ発電予測情報は、天気予報、季節、日照時間などであってもよい。
【００６０】  （ネットワーク構成）  以下において、第１実施形態に係るネットワーク構成について説明する。図３は、第１実施形態に係るネットワーク構成を示す図である。
【００６１】  図３に示すように、ネットワークは、負荷１２０、ＰＶ装置１３０、蓄電池装置１４０、燃料電池装置１５０、貯湯装置１６０、ＥＭＳ２００及びユーザ端末３００によって構成される。ユーザ端末３００は、ユーザ端末３１０及びユーザ端末３２０を含む。
【００６２】  ユーザ端末３１０は、ＥＭＳ２００と接続されており、各機器（負荷１２０、ＰＶ装置１３０、蓄電池装置１４０、燃料電池装置１５０及び貯湯装置１６０）の消費エネルギー、発電量又は蓄電量を可視化するための情報（以下、可視化情報）をウェブブラウザによって表示する。このようなケースにおいて、ＥＭＳ２００は、ＨＴＭＬ等の形式で可視化情報を生成して、生成された可視化情報をユーザ端末３１０に送信する。ユーザ端末３１０とＥＭＳ２００との間の接続形式は、有線であってもよく、無線であってもよい。ユーザ端末３１０は、例えば、パーソナルコンピュータである。
【００６３】  ユーザ端末３２０は、ＥＭＳ２００と接続されており、可視化情報をアプリケーションによって表示する。このようなケースにおいて、ＥＭＳ２００は、各機器の消費エネルギー、発電量又は蓄電量を示す情報をユーザ端末３２０に送信する。ユーザ端末３２０のアプリケーションは、ＥＭＳ２００から受信する情報に基づいて可視化情報を生成して、生成された可視化情報を表示する。ユーザ端末３２０とＥＭＳ２００との間の接続形式は、有線であってもよく、無線であってもよい。ユーザ端末３２０は、例えば、スマートフォンである。
【００６４】  上述したように、第１実施形態では、燃料電池装置１５０及び貯湯装置１６０が給湯ユニット１７０を構成する。従って、貯湯装置１６０は、ＥＭＳ２００と通信を行う機能を有していなくてもよい。このようなケースでは、燃料電池装置１５０は、貯湯装置１６０を代理して、貯湯装置１６０に関するメッセージの通信をＥＭＳ２００と行う。
【００６５】  第１実施形態において、ＥＭＳ２００と各機器（負荷１２０、ＰＶ装置１３０、蓄電池装置１４０、燃料電池装置１５０及び貯湯装置１６０）との間の通信は、所定プロトコルに従って方式で行われる。所定プロトコルとしては、例えば、“ＥＣＨＯＮＥＴ  Ｌｉｔｅ”（登録商標）又は“ＥＣＨＯＮＥＴ”（登録商標）と呼ばれるプロトコルが挙げられる。しかしながら、実施形態は、これに限定されるものではなく、所定プロトコルは、“ＥＣＨＯＮＥＴ  Ｌｉｔｅ”（登録商標）又は“ＥＣＨＯＮＥＴ”（登録商標）以外のプロトコル（例えば、ＳＥＰ２．０又はＫＮＸ等）であってもよい。
【００６６】  （適用ケース）  以下において、第１実施形態に係る適用ケースについて説明する。図４は、第１実施形態に係る適用ケースを示す図である。図４では、ＰＶ装置１３０、蓄電池装置１４０、ＥＭＳ２００及びユーザ端末３００によって構成されるネットワークについて主として説明する。
【００６７】  ここで、図４では、ユーザ端末３００として、ユーザ端末３１０及びユーザ端末３２０に加えて、ユーザ端末３３０及びユーザ端末３４０が設けられている。ユーザ端末３３０は、ユーザ端末３２０と同様に、可視化情報を表示するアプリケーションを有するタブレット端末である。ユーザ端末３４０は、ユーザ端末３１０と同様に、可視化情報を表示するウェブブラウザを有するディスプレイである。
【００６８】  図４に示すように、ネットワークは、不変アドレス（例えば、グローバルＩＰアドレス）が割当てられるルータ５００を有する。ルータ５００は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能し、ＰＶ装置１３０、蓄電池装置１４０、ＥＭＳ２００及びユーザ端末３００に対して、動的アドレス（例えば、ローカルＩＰアドレス）を割り当てる。図４に示すネットワークでは、ルータ５００によって割当てられた動的アドレスを用いて通信が行われる。動的アドレスを用いて通信が行われるネットワークは、上述したように、“ＥＣＨＯＮＥＴ  Ｌｉｔｅ”（登録商標）又は“ＥＣＨＯＮＥＴ”（登録商標）などの所定プロトコルに準拠している。但し、ＥＭＳ２００とユーザ端末３００との間の通信は、“ＥＣＨＯＮＥＴ  Ｌｉｔｅ”（登録商標）又は“ＥＣＨＯＮＥＴ”（登録商標）などの所定プロトコルに準拠していなくともよい。
【００６９】  第１実施形態では、ＰＣＳ１３２及びＰＣＳ１４２は、インタフェース４１１によって接続される。ＰＣＳ１４２及びＥＭＳ２００は、インタフェース４１２によって接続される。インタフェース４１１及びインタフェース４１２は、有線インタフェースであり、蓄電池装置１４０（或いは、ＰＶ装置１３０）の製造者によって定義される。
【００７０】  ルータ５００及びＰＣＳ１４２は、無線回線４２１によって接続される。ルータ５００及びユーザ端末３００（ここでは、ユーザ端末３１０、ユーザ端末３２０及びユーザ端末３３０）は、無線回線４２２によって接続される。無線回線４２１及び無線回線４２２は、有線ケーブルに置き換えられてもよい。
【００７１】  ＥＭＳ２００及びルータ５００は、有線ケーブル４３１によって接続される。ルータ５００及びユーザ端末３００（ここでは、ユーザ端末３４０）は、有線ケーブル４３２によって接続される。有線ケーブル４３１及び有線ケーブル４３２は、無線回線によって置き換えられてもよい。
【００７２】  このようなケースにおいて、比較的に短い間隔で伝達する必要がある情報は、インタフェース４１１及びインタフェース４１２を介して、ＰＣＳ１３２からＥＭＳ２００に送信されることが好ましい。同様に、比較的に短い間隔で伝達する必要がある情報は、インタフェース４１２を介して、ＰＣＳ１４２からＥＭＳ２００に送信されることが好ましい。例えば、ＰＶ装置１３０のステータス（出力電力など）を示す情報は、インタフェース４１１及びインタフェース４１２を介して、ＰＣＳ１３２からＥＭＳ２００に送信されることが好ましい。蓄電池装置１４０のステータス（充電電力又は放電電力など）を示す情報は、インタフェース４１２を介して、ＰＣＳ１４２からＥＭＳ２００に送信される。
【００７３】  一方で、比較的に長い間隔で伝達することが許容される情報は、無線回線４２１を介して、ＥＭＳ２００からＰＣＳ１４２に送信されることが好ましい。蓄電池装置１４０の動作（充電又は放電など）を指示するコマンドは、無線回線４２１及び有線ケーブル４３１を介して、ＥＭＳ２００からＰＣＳ１４２に送信される。或いは、蓄電池装置１４０の運転モードを指示するコマンドは、無線回線４２１及び有線ケーブル４３１を介して、ＥＭＳ２００からＰＣＳ１４２に送信される。
【００７４】  また、インタフェース４１１及びインタフェース４１２はルータを経由しないため、何らかの理由でルータが停止していても、ＰＣＳ１３２からＥＭＳ２００に通信が可能になる。そのため、ルータが停止している場合または停電時などルータが停止していることが予想される場合には、情報はインタフェース４１２を介して、ＰＣＳ１４２とＥＭＳ２００間で送受信されることが好ましい。送受信される情報の例としては、停電時の蓄電池の動作指示メッセージや蓄電池の状態などである。
【００７５】  蓄電池装置１４０の運転モードは、系統連系状態の運転モードと、自立運転状態の運転モードとを含む。系統連系状態は、蓄電池装置１４０と系統とが並列された状態である。一方で、自立運転状態は、蓄電池装置１４０と系統とが解列された状態である。自立運転状態の一例としては、例えば、停電が生じた状態が考えられる。
【００７６】  系統連系状態の運転モードは、（ａ）ＰＶ装置１３０によって発電された電力の売電（逆潮流）を優先するように、蓄電池１４１の充放電を制御する運転モード（太陽光売電優先モード）、（ｂ）ＰＶ装置１３０によって発電された電力を蓄電池１４１に充電するように、蓄電池１４１の充放電を制御する運転モード（太陽光充電モード）、（ｃ）系統から供給される電力が一定値を超えないように、蓄電池１４１の充放電を制御する運転モード（ピークカットモード）、（ｄ）系統から供給される電力の単価が閾値よりも低い期間（例えば、夜間）において、系統から供給される電力を蓄電池１４１に充電するように、蓄電池１４１の充放電を制御する運転モード（深夜電力活用モード）、（ｅ）蓄電池１４１に電力を強制的に蓄積する運転モード（強制充電モード）、（ｆ）蓄電池１４１に蓄積された電力を強制的に放電する運転モード（強制放電モード）などである。
【００７７】  ここで、（ａ）太陽光売電優先モード及び（ｂ）太陽光充電モードにおいては、蓄電池装置１４０は、電流計１８２によって計測される電流を監視して、ＰＶ装置１３０の発電量に応じて、蓄電池１４１の充放電を制御する必要がある。ＰＶ装置１３０の発電量は、時々刻々と変化するため、これらの運転モードは、蓄電池装置１４０によって制御されることが好ましい。
【００７８】  同様に、（ｃ）ピークカットモードにおいては、蓄電池装置１４０は、電流計１８１及び電流計１８２によって計測される電流を監視して、系統から供給される電力量に応じて、蓄電池１４１の充放電を制御する必要がある。系統から供給される電力量は、電流計１８１によって計測される電流値から電流計１８２によって計測された電流値を除いた値に基づいて算出される。ＰＶ装置１３０の発電量及び負荷１２０の消費電力は、時々刻々と変化するため、この運転モードは、蓄電池装置１４０によって制御されることが好ましい。
【００７９】  第１実施形態において、（ａ）太陽光売電優先モード、（ｂ）太陽光充電モード及び（ｃ）ピークカットモードは、蓄電池１４１以外の機器（例えば、ＰＶ１３１）と蓄電池１４１が連携する運転モードの一例である。
【００８０】  自立運転状態の運転モードは、（ｇ）ＰＶ装置１３０によって発電された電力を蓄積する運転モード（以下、自立充電モード）、（ｈ）蓄電池装置１４０に設けられた自立コンセントに接続された負荷１２０に電力を供給する運転モード（以下、自立放電モード）、（ｉ）ＰＶ装置１３０によって発電された電力を蓄積しながら、蓄電池装置１４０に設けられた自立コンセントに接続された負荷１２０に電力を供給する運転モード（以下、自立充放電モード）などである。
【００８１】  （ＥＭＳの構成）  以下において、第１実施形態に係るＥＭＳについて説明する。図５は、第１実施形態に係るＥＭＳ２００を示すブロック図である。
【００８２】  図５に示すように、ＥＭＳ２００は、受信部２１０と、送信部２２０と、制御部２３０とを有する。
【００８３】  受信部２１０は、信号線を介して接続された装置から各種信号を受信する。例えば、受信部２１０は、ＰＶ１３１の発電量を示す情報をＰＶ装置１３０から受信してもよい。受信部２１０は、蓄電池１４１の蓄電量を示す情報を蓄電池装置１４０から受信してもよい。受信部２１０は、燃料電池１５１の発電量を示す情報を燃料電池装置１５０から受信してもよい。受信部２１０は、貯湯装置１６０の貯湯量を示す情報を貯湯装置１６０から受信してもよい。
【００８４】  第１実施形態において、受信部２１０は、エネルギー料金情報、消費エネルギー予測情報及びＰＶ発電量予測情報を、ネットワーク６０を介して各種サーバから受信してもよい。但し、エネルギー料金情報、消費エネルギー予測情報及びＰＶ発電量予測情報は、予めＥＭＳ２００に記憶されていてもよい。
【００８５】  例えば、第１実施形態では、受信部２１０は、製造者によって定義されるインタフェース（インタフェース４１２）を介して、ＰＶ装置１３０及び蓄電池装置１４０のステータスを示す情報を受信する。
【００８６】  第１実施形態において、受信部２１０は、所定プロトコルに準拠するネットワーク（無線回線４２１）を介して、蓄電池装置１４０の種別を示す種別メッセージ（以下、インスタンスリスト）を受信する。受信部２１０は、所定プロトコルに準拠するネットワーク（無線回線４２１）を介して、蓄電池装置１４０を識別する識別情報を含む識別情報通知メッセージを受信する。識別情報は、所定プロトコルに準拠するネットワーク（無線回線４２１）内で一意に定められる不変の情報であり、蓄電池装置１４０に割当てられる動的アドレス（例えば、ローカルＩＰアドレス）とは別に定義される。識別情報は、例えば、蓄電池装置１４０の製造者によって割当てられるランダムな文字列である。或いは、識別情報は、製造段階で一意に定められる情報であり、例えば、メーカーコードと製造番号との組み合わせである。
【００８７】  送信部２２０は、信号線を介して接続された装置に各種信号を送信する。例えば、送信部２２０は、ＰＶ装置１３０、蓄電池装置１４０、燃料電池装置１５０及び貯湯装置１６０を制御するための信号を各装置に送信する。送信部２２０は、負荷１２０を制御するための制御信号を負荷１２０に送信する。
【００８８】  例えば、第１実施形態では、送信部２２０は、所定プロトコルに準拠するネットワーク（無線回線４２１）を介して、蓄電池装置１４０の動作を示すコマンドを送信する。或いは、送信部２２０は、所定プロトコルに準拠するネットワーク（無線回線４２１）を介して、蓄電池装置１４０の運転モードを示すコマンドを送信する。
【００８９】  第１実施形態において、送信部２２０は、所定プロトコルに準拠するネットワーク（無線回線４２１）を介して、蓄電池装置１４０を識別する識別情報を要求する識別情報要求メッセージを送信する。
【００９０】  制御部２３０は、負荷１２０、ＰＶ装置１３０、蓄電池装置１４０、燃料電池装置１５０及び貯湯装置１６０を制御する。
【００９１】  具体的には、制御部２３０は、所定プロトコルに準拠するネットワークにおいて、蓄電池装置１４０の識別情報に基づいて、蓄電池装置１４０を管理する。詳細には、制御部２３０は、蓄電池装置１４０の種別を蓄電池装置１４０の識別情報と対応付けて管理する。さらに、制御部２３０は、蓄電池装置１４０の種別及び蓄電池装置１４０の識別情報を、蓄電池装置１４０に割当てられる動的アドレス（例えば、ローカルＩＰアドレス）と対応付けて管理することが好ましい。
【００９２】  （蓄電池装置の構成）  以下において、第１実施形態に係る蓄電池装置について説明する。図６は、第１実施形態に係る蓄電池装置１４０を示すブロック図である。
【００９３】  図６に示すように、蓄電池装置１４０は、受信部１４５と、送信部１４６と、制御部１４７とを有する。第１実施形態では、受信部１４５、送信部１４６及び制御部１４７は、ＰＣＳ１４２に設けられる。
【００９４】  受信部１４５は、ＥＭＳ２００から各種情報を受信する。受信部１４５は、製造者によって定義されるインタフェース（インタフェース４１１）を介して、ＰＶ装置１３０のステータスを示す情報を受信する。
【００９５】  第１実施形態において、受信部１４５は、所定プロトコルに準拠するネットワーク（無線回線４２１）を介して、蓄電池装置１４０を識別する識別情報を要求する識別情報要求メッセージを受信する。
【００９６】  送信部１４６は、ＥＭＳ２００に各種情報を送信する。例えば、送信部１４６は、製造者によって定義されるインタフェース（インタフェース４１２）を介して、ＰＶ装置１３０及び蓄電池装置１４０のステータスを示す情報を送信する。
【００９７】  第１実施形態において、送信部１４６は、所定プロトコルに準拠するネットワーク（無線回線４２１）を介して、蓄電池装置１４０の種別を示す種別メッセージ（以下、インスタンスリスト）を送信する。具体的には、送信部１４６は、所定トリガに応じて、インスタンスリストを送信する。ここで、所定トリガは、蓄電池装置１４０の電源が投入されること、蓄電池装置１４０に割当てられる動的アドレスが変更されることなどである。
【００９８】  ここで、蓄電池装置１４０の電源が投入されるケースとして、停電によって蓄電池装置１４０の電源が切れてから、蓄電池装置１４０の電源が再投入されるケースが考えられる。このようなケースにおいて、蓄電池装置１４０の電源は、蓄電池１４１に蓄積された電力によって再投入される。一方で、ＥＭＳ２００の電源は、系統から供給される電力によって再投入されることが想定される。或いは、ＥＭＳ２００の電源は、分散電源（ＰＶ装置１３０、蓄電池装置１４０又は燃料電池装置１５０）から供給される電力によって再投入される。いずれにしても、蓄電池装置１４０の電源が再投入されるタイミングは、ＥＭＳ２００の電源が再投入されるタイミングよりも早いことが想定される。
【００９９】  従って、送信部１４６は、所定期間に亘って繰り返してインスタンスリストを送信することが好ましい。ここで、所定期間は、停電によってＥＭＳ２００の電源が切れてからＥＭＳ２００の電源が再投入されるまでの時間（以下、停電復旧時間）に応じて定められる。停電復旧時間は、系統の電力が停電から復旧するまでの標準時間によって定められてもよい。或いは、停電復旧時間は、停電が生じてから分散電源からＥＭＳ２００に電力が供給され、ＥＭＳ２００のＯＳ（Ｏｐｅｒａｔｉｏｎ  Ｓｙｓｔｅｍ）が再起動完了するまでの標準時間によって定められてもよい。
【０１００】  また、所定期間に亘って繰り返してインスタンスリストを送信するよう構成した場合であっても、受信部１４５が所定期間内に識別情報要求メッセージを受信したならば、送信部１４６は、インスタンスリストの繰り返し送信を中止してもよい。
【０１０１】  或いは、受信部１４５が所定期間内に識別情報要求メッセージを受信しなかった場合には、送信部１４６は、所定期間経過後も、インスタンスリストの送信を継続してもよい。 
【０１０２】  送信部１４６は、所定プロトコルに準拠するネットワーク（無線回線４２１）を介して、蓄電池装置１４０を識別する識別情報を含む識別情報通知メッセージを送信する。送信部１４６は、識別情報要求メッセージに応じて、識別情報通知メッセージを送信する。
【０１０３】  制御部１４７は、蓄電池装置１４０を制御する。具体的には、制御部１４７は、ユーザによってに入力されたコマンドに基づいてＰＣＳ１４２を制御する。或いは、制御部１４７は、ＥＭＳ２００からＰＣＳ１４２が受信するコマンドに基づいてＰＣＳ１４２を制御する。
【０１０４】  （管理方法）  以下において、第１実施形態に係る管理方法について説明する。図７は、第１実施形態の管理方法を示すシーケンス図である。図７では、所定プロトコルに準拠するネットワークにおけるシーケンスが示されている。
【０１０５】  図７に示すように、ステップＳ１０において、停電が生じる。これによって、蓄電池装置１４０及びＥＭＳ２００の電源が切れる。
【０１０６】  ステップＳ２０において、蓄電池装置１４０の電源が再投入される。具体的には、蓄電池装置１４０の電源は、蓄電池１４１に蓄積された電力によって再投入される。
【０１０７】  ステップＳ３０において、蓄電池装置１４０は、所定プロトコルに準拠するネットワーク（無線回線４２１）を介して、蓄電池装置１４０の種別を示す種別メッセージ（インスタンスリスト）を送信する。蓄電池装置１４０は、所定期間に亘って繰り返してインスタンスリストを送信する。
【０１０８】  詳細には、蓄電池装置１４０は、間隔Ｔ１でインスタンスリストを繰り返して送信する。また、蓄電池装置１４０は、所定期間Ｔｔｏｔａｌに亘ってインスタンスリストを送信する。所定期間Ｔｔｏｔａｌは、上述したように、停電によってＥＭＳ２００の電源が切れてからＥＭＳ２００の電源が再投入されるまでの時間（以下、停電復旧時間）に応じて定められる。
【０１０９】  ここで、蓄電池装置１４０は、ＥＭＳ２００の動的アドレスを把握していないため、インスタンスリストを同報送信で送信することが好ましい。同報送信は、ブロードキャストであってもよく、マルチキャストであってもよい。
【０１１０】  ステップＳ４０において、ＥＭＳ２００の電源が再投入される。具体的には、ＥＭＳ２００の電源は、系統から供給される電力によって再投入される。但し、ＥＭＳ２００の電源は、分散電源（ＰＶ装置１３０、蓄電池装置１４０又は燃料電池装置１５０）から供給される電力によって再投入されてもよい。
【０１１１】  ステップＳ５０において、ＥＭＳ２００は、インスタンスリストの送信元アドレスに基づいて、蓄電池装置１４０の動的アドレス（例えば、ローカルＩＰアドレス）を取得する。
【０１１２】  ここで、ＥＭＳ２００は、通信トラフィック低減のために、所定期間Ｔｔｏｔａｌの経過後、さらに一定の期間が経過した後で、ステップＳ５０以降の処理を行ってもよい。
【０１１３】  ステップＳ６０において、ＥＭＳ２００は、蓄電池装置１４０を識別する識別情報を要求する識別情報要求メッセージを蓄電池装置１４０に送信する。ここで、ＥＭＳ２００は、蓄電池装置１４０の動的アドレスを用いて、識別情報要求メッセージを蓄電池装置１４０にユニキャストで送信する。
【０１１４】  ステップＳ７０において、蓄電池装置１４０は、識別情報要求メッセージの送信元アドレスに基づいて、ＥＭＳ２００の動的アドレス（例えば、ローカルＩＰアドレス）を取得する。続いて、蓄電池装置１４０は、蓄電池装置１４０を識別する識別情報を含む識別情報通知メッセージをＥＭＳ２００に送信する。ここで、蓄電池装置１４０は、ＥＭＳ２００の動的アドレスを用いて、識別情報通知メッセージをＥＭＳ２００にユニキャストで送信する。
【０１１５】  ステップＳ８０において、ＥＭＳ２００は、蓄電池装置１４０を認識する。具体的には、ＥＭＳ２００は、蓄電池装置１４０からのインスタンスリストに基づいて、蓄電池装置１４０の種別を特定する。ＥＭＳ２００は、蓄電池装置１４０の種別及び蓄電池装置１４０の識別情報を、蓄電池装置１４０に割当てられる動的アドレス（例えば、ローカルＩＰアドレス）と対応付けて管理する。
【０１１６】  ステップＳ９０において、ＥＭＳ２００と蓄電池装置１４０との間において、動的アドレスを用いて通信が行われる。
【０１１７】  以上説明したように、第１実施形態では、蓄電池装置１４０は、蓄電池装置１４０の電源が投入された場合に、種別メッセージ（インスタンスリスト）を所定期間に亘って繰り返して送信する。従って、ＥＭＳ２００に対する種別メッセージの到達性を高めることができる。
【０１１８】  第１実施形態では、無線回線４２１内で一意に定められる不変の情報である識別情報に基づいて蓄電池装置１４０を管理することによって、蓄電池装置１４０に割り当てられる動的アドレス（例えば、ローカルＩＰアドレス）が変更される可能性が存在する場合であっても、蓄電池装置１４０を適切に管理することができる。
【０１１９】  或いは、蓄電池装置１４０が所定期間Ｔｔｏｔａｌ内に識別情報要求メッセージを受信した場合には、ステップＳ３０において、蓄電池装置１４０は、インスタンスリストの繰り返し送信を中止してもよい。これにより、無駄な通信の発生を抑制することができる。
【０１２０】  或いは、蓄電池装置１４０が所定期間Ｔｔｏｔａｌ内に識別情報要求メッセージを受信しなかった場合には、ステップＳ３０において、蓄電池装置１４０は、所定期間Ｔｔｏｔａｌ経過後も（例えば、さらに所定期間Ｔｔｏｔａｌに亘って）、インスタンスリストの繰り返し送信を行ってもよい。これにより、ＥＭＳ２００に対する種別メッセージ（インスタンスリスト）の到達性を高めることができる。
【０１２１】  ［その他の実施形態］  本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２２】  ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【０１２３】  実施形態では、機器の一例として、蓄電池装置１４０を例に挙げた。しかしながら、実施形態は、これに限定されるものではない。機器は、ＰＶ装置１３０及び燃料電池装置１５０などの分散電源であってもよい。或いは、機器は、冷蔵庫、冷凍庫、照明、又はエアーコンディショナーなどの負荷１２０であってもよい。或いは、機器は、貯湯装置１６０であってもよい。
【０１２４】  実施形態では、ＥＭＳ２００は、蓄電池装置１４０の識別情報に基づいて蓄電池装置１４０を管理する。しかしながら、実施形態は、これに限定されるものではない。ＥＭＳ２００は、蓄電池装置１４０に動的に割当てられる動的アドレスに基づいて蓄電池装置１４０を管理してもよい。このようなケースであっても、ＥＭＳ２００に対する種別メッセージの到達性が高いため、蓄電池装置１４０を適切に管理することができる。すなわち、図７において、ステップＳ６０及びステップＳ７０の処理は省略されてもよい。
【０１２５】  上述した実施形態では特に触れていないが、蓄電池装置１４０が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１２６】  或いは、蓄電池装置１４０が行う各処理を実行するためのプログラムを記憶するメモリ及びメモリに記憶されたプログラムを実行するプロセッサによって構成されるチップが提供されてもよい。蓄電池装置１４０が行う各処理を実行するためのプログラムを記憶するメモリ及びメモリに記憶されたプログラムを実行する通信処理デバイスが提供されてもよい。
【０１２７】  このように、本発明は、ここでは記載していない様々な実施の形態などを含むことは勿論である。また、上述した実施形態及び変更例は、組み合わせることが可能である。したがって、本発明の技術的範囲は、上述の説明から妥当な請求の範囲に係る発明特定事項によってのみ定められる。
【０１２８】  なお、日本国特許出願第２０１２−２１５３００号（２０１２年９月２７日出願）の全内容が、参照により、本願に組み込まれている。
【産業上の利用可能性】
【０１２９】  本発明によれば、制御装置に対する種別メッセージの到達性を高めることを可能とする管理システム、管理方法及び機器を提供することができる。
【図１】
0005946919.tif 000002
【図２】
0005946919.tif 000003
【図３】
0005946919.tif 000004
【図４】
0005946919.tif 000005
【図５】
0005946919.tif 000006
【図６】
0005946919.tif 000007
【図７】
0005946919.tif 000008